(57)【要約】【課題】小型化できるプロジェクターを提供する。【解決手段】プロジェクターは、光を出射する光源を有する光源装置と、光源装置から出射される光を変調する光変調装置と、光変調装置によって変調された光を投射する投射光学装置と、光源から伝達された熱を放出する放熱部材と、放熱部材に冷却気体を送風する送風装置と、を備え、投射光学装置は、光源装置から出射された光の出射方向に沿う第１方向と交差する第２方向に沿って光が入射される位置に配置され、送風装置は、回転軸を中心に回転し、回転方向に対する反対方向に湾曲した複数の羽根が設けられた羽根部材を有する遠心力ファンであり、遠心力ファンは、回転軸が、第１方向及び第２方向の両方に垂直な第３方向に沿うように配置され、放熱部材及び送風装置は、投射光学装置に対して第１方向とは反対方向に配置されている。【選択図】図２
2020024244.tif 000002
【特許請求の範囲】
【請求項１】
光を出射する光源を有する光源装置と、
前記光源装置から出射される光を変調する光変調装置と、
前記光変調装置によって変調された光を投射する投射光学装置と、
前記光源から伝達された熱を放出する放熱部材と、
前記放熱部材に冷却気体を送風する送風装置と、を備え、
前記投射光学装置は、前記光源装置から出射された光の出射方向に沿う第１方向と交差する第２方向に沿って光が入射される位置に配置され、
前記送風装置は、回転軸を中心に回転し、回転方向に対する反対方向に湾曲した複数の羽根が設けられた羽根部材を有する遠心力ファンであり、
前記遠心力ファンは、前記回転軸が、前記第１方向及び前記第２方向の両方に垂直な第３方向に沿うように配置され、
前記放熱部材及び前記送風装置は、前記投射光学装置に対して前記第１方向とは反対方向に配置されていることを特徴とするプロジェクター。
【請求項２】
請求項１に記載のプロジェクターにおいて、
前記光源装置、前記光変調装置、前記投射光学装置、前記放熱部材及び前記送風装置を収容する外装筐体を備え、
前記外装筐体は、
前記送風装置によって吸引される前記冷却気体を前記外装筐体内に導入する導入口と、
前記放熱部材を流通した前記冷却気体を排出する排気口と、
前記投射光学装置から出射される光の投射方向に位置する第１面と、
前記第１面と交差して、前記第１方向とは反対方向に位置する第２面と、を有し、
前記導入口は、前記第１面に設けられ、
前記排気口は、前記第２面に設けられることを特徴とするプロジェクター。
【請求項３】
請求項２に記載のプロジェクターにおいて、
前記外装筐体は、前記排気口に位置し、前記排気口を通過する前記冷却気体の流通方向を前記第２方向側に調整する排気側ルーバーを有することを特徴とするプロジェクター。
【請求項４】
請求項２又は請求項３に記載のプロジェクターにおいて、
前記外装筐体は、前記導入口に位置し、前記導入口を通過する前記冷却気体の流通方向を前記第１方向とは反対方向側に調整する導入側ルーバーを有することを特徴とするプロジェクター。
【請求項５】
請求項１から請求項４のいずれか一項に記載のプロジェクターにおいて、
前記放熱部材は、
前記光源の熱が伝達される本体部と、
前記本体部からそれぞれ前記第２方向に延出し、前記第３方向に沿って所定間隔を隔てて配列された複数のフィンと、を有し、
前記送風装置は、前記複数のフィンに対して、前記第１方向とは反対方向及び前記第２方向とは反対方向のうち一方の方向に前記冷却気体を送出することを特徴とするプロジェクター。
【請求項６】
請求項１から請求項５のいずれか一項に記載のプロジェクターにおいて、
電子部品に電力を供給する電源装置を備え、
前記電源装置は、前記投射光学装置と、前記放熱部材及び前記送風装置との間に配置されていることを特徴とするプロジェクター。
【請求項７】
請求項１から請求項６のいずれか一項に記載のプロジェクターにおいて、
前記光源の熱を前記放熱部材に伝達する受熱部材を備え、
前記受熱部材は、
前記光源に接続される受熱面と、
前記放熱部材に接続される放熱面と、を有することを特徴とするプロジェクター。
【発明の詳細な説明】
【技術分野】
【０００１】
本発明は、プロジェクターに関する。
【背景技術】
【０００２】
従来、光源装置と、光源装置から出射された光を変調する光変調装置と、変調された光を投射する投射光学装置と、を備えたプロジェクターが知られている。このようなプロジェクターとして、光源から熱が伝達される放熱器に空気を送風装置によって送風して、放熱器、ひいては、光源を冷却する映像表示装置が知られている（例えば、特許文献１参照）。
特許文献１に記載の映像表示装置では、光源は、発光素子及び金属回路基板を有し、放熱器は、発光素子が設置される平坦な面と、複数の放熱フィンが形成された背面とを有する。送風装置は、軸流ファンによって構成されており、複数の放熱フィンの熱は、送風装置によって送風される空気に伝達される。これにより、放熱器が冷却され、ひいては、光源の発光素子が冷却される。
【先行技術文献】
【特許文献】
【０００３】
【特許文献１】特開２００９−１８１０９８号公報
【発明の概要】
【発明が解決しようとする課題】
【０００４】
しかしながら、特許文献１に記載の映像表示装置では、軸流ファンである送風装置が採用されていることから、送風装置による送風力を高めることによって冷却能力を高めようとすると、送風装置が大型なり、映像表示装置が大型化しやすいという問題がある。
【課題を解決するための手段】
【０００５】
本発明の一態様に係るプロジェクターは、光を出射する光源を有する光源装置と、前記光源装置から出射される光を変調する光変調装置と、前記光変調装置によって変調された光を投射する投射光学装置と、前記光源から伝達された熱を放出する放熱部材と、前記放熱部材に冷却気体を送風する送風装置と、を備え、前記投射光学装置は、前記光源装置から出射された光の出射方向に沿う第１方向と交差する第２方向に沿って光が入射される位置に配置され、前記送風装置は、回転軸を中心に回転し、回転方向に対する反対方向に湾曲した複数の羽根が設けられた羽根部材を有する遠心力ファンであり、前記遠心力ファンは、前記回転軸が、前記第１方向及び前記第２方向の両方に垂直な第３方向に沿うように配置され、前記放熱部材及び前記送風装置は、前記投射光学装置に対して前記第１方向とは反対方向に配置されていることを特徴とする。
【０００６】
上記一態様では、前記光源装置、前記光変調装置、前記投射光学装置、前記放熱部材及び前記送風装置を収容する外装筐体を備え、前記外装筐体は、前記送風装置によって吸引される前記冷却気体を前記外装筐体内に導入する導入口と、前記放熱部材を流通した前記冷却気体を排出する排気口と、前記投射光学装置から出射される光の投射方向に位置する第１面と、前記第１面と交差して、前記第１方向とは反対方向に位置する第２面と、を有し、前記導入口は、前記第１面に設けられ、前記排気口は、前記第２面に設けられることが好ましい。
【０００７】
上記一態様では、前記外装筐体は、前記排気口に位置し、前記排気口を通過する前記冷却気体の流通方向を前記第２方向側に調整する排気側ルーバーを有することが好ましい。
【０００８】
上記一態様では、前記外装筐体は、前記導入口に位置し、前記導入口を通過する前記冷却気体の流通方向を前記第１方向とは反対方向側に調整する導入側ルーバーを有することが好ましい。
【０００９】
上記一態様では、前記放熱部材は、前記光源の熱が伝達される本体部と、前記本体部からそれぞれ前記第２方向に延出し、前記第３方向に沿って所定間隔を隔てて配列された複数のフィンと、を有し、前記送風装置は、前記複数のフィンに対して、前記第１方向とは反対方向及び前記第２方向とは反対方向のうち一方の方向に前記冷却気体を送出することが好ましい。
【００１０】
上記一態様では、電子部品に電力を供給する電源装置を備え、前記電源装置は、前記投射光学装置と、前記放熱部材及び前記送風装置との間に配置されていることが好ましい。
【００１１】
上記一態様では、前記光源の熱を前記放熱部材に伝達する受熱部材を備え、前記受熱部材は、前記光源に接続される受熱面と、前記放熱部材に接続される放熱面と、を有することが好ましい。
【図面の簡単な説明】
【００１２】
【図１】本発明の第１実施形態に係るプロジェクターの外観を示す斜視図。
【図２】上記第１実施形態におけるプロジェクターの内部構成を示す模式図。
【図３】上記第１実施形態における光源装置の構成を示す模式図。
【図４】上記第１実施形態における冷却装置を示す側面図。
【図５】本発明の第２実施形態に係るプロジェクターの内部構成を示す模式図。
【発明を実施するための形態】
【００１３】
［第１実施形態］
以下、本発明の第１実施形態について、図面に基づいて説明する。
［プロジェクターの概略構成］
図１は、本実施形態に係るプロジェクター１Ａの外観を示す斜視図である。
本実施形態に係るプロジェクター１Ａは、光源装置から出射された光を変調して画像情報に応じた画像を形成し、形成された画像をスクリーン等の被投射面上に拡大投射する。プロジェクター１Ａは、図１に示すように、外装を構成する外装筐体２を備える。
【００１４】
［外装筐体の構成］
外装筐体２は、それぞれ後述する光源装置５、光変調装置６３５、投射光学装置７、放熱部材８２及び送風装置８３を収容する。外装筐体２は、合成樹脂等により略直方体形状に形成されており、天面部２１、底面部２２、正面部２３、背面部２４、左側面部２５及び右側面部２６を有する。
底面部２２は、プロジェクター１Ａが載置される設置面と接する脚部２２１を有する。
正面部２３は、投射光学装置７から出射される光の投射方向に位置する第１面に相当する。正面部２３は、中央に後述する投射光学装置７の一部を露出させる開口部２３１と、外装筐体２の外部の空気を冷却気体として内部に導入する導入口２３２と、を有する。すなわち、外装筐体２は、第１面である正面部２３に設けられ、後述する送風装置８３によって吸引される冷却気体を外装筐体２内に導入する導入口２３２を有する。導入口２３２は、開口部２３１に対して左側面部２５側に位置する。
右側面部２６は、導入口２３２と同様に、外装筐体２の外部の空気を内部に取り込む吸気口２６１を有する。
なお、図１では図示を省略するが、左側面部２５は、第２面に相当し、正面部２３と交差する。左側面部２５は、後述する光源装置５を冷却した冷却気体を外装筐体２の外部に排出する排気口２５１（図２参照）を有する。すなわち、外装筐体２は、第２面である左側面部２５に設けられ、後述する光源装置５の熱が伝達された後述する放熱部材８２を流通した冷却気体を排出する排気口２５１を有する。
【００１５】
以下の説明では、互いに交差する＋Ｘ方向、＋Ｙ方向及び＋Ｚ方向のうち、＋Ｘ方向を左側面部２５から右側面部２６に向かう方向とし、＋Ｙ方向を底面部２２から天面部２１に向かう方向とし、＋Ｚ方向を背面部２４から正面部２３に向かう方向とする。また、図示を省略するが、＋Ｘ方向、＋Ｙ方向及び＋Ｚ方向の反対方向を、それぞれ−Ｘ方向、−Ｙ方向及び−Ｚ方向とする。
詳しくは後述するが、＋Ｘ方向は、光源装置５から出射された光の出射方向沿う方向であり、第１方向に相当する。＋Ｚ方向は、＋Ｘ方向と交差し、投射光学装置７に光が入射される方向であり、第２方向に相当する。また、＋Ｘ方向及び＋Ｚ方向の両方に垂直な＋Ｙ方向は、第３方向に相当する。
なお、本実施形態においては、＋Ｘ方向、＋Ｙ方向及び＋Ｚ方向は、互いに垂直な方向として規定している。すなわち、第３方向である＋Ｙ方向は、第１方向である＋Ｘ方向及び第２方向である＋Ｚ方向の両方に垂直な方向である。
【００１６】
［プロジェクターの内部構成］
図２は、プロジェクター１Ａの内部構成を示す模式図である。
プロジェクター１Ａは、図２に示すように、外装筐体２内にそれぞれ収容される電源装置３、画像投射装置４及び冷却装置８を備える。この他、図示を省略するが、プロジェクター１Ａは、プロジェクター１Ａの動作を制御する制御装置を備える。
電源装置３は、外部から供給される商用交流電流を直流電流に変換した後、プロジェクター１Ａの電子部品に、昇圧及び降圧した電流を供給する。すなわち、電源装置３は、プロジェクター１Ａの電子部品に電力を供給する。本実施形態において、電源装置３は、背面部２４に沿って外装筐体２の内側に配置されている。
【００１７】
［画像投射装置の構成］
画像投射装置４は、画像情報に応じた画像を上記被投射面上に投射する。画像投射装置４は、＋Ｙ方向から見て＋Ｘ方向及び＋Ｚ方向にそれぞれ延出する略Ｌ字状に構成されている。画像投射装置４は、光源装置５、画像形成装置６及び投射光学装置７を備える。
光源装置５は、図２に示されるように、外装筐体２内の空間Ｓ内において左側面部２５側で背面部２４側の部位に位置し、＋Ｘ方向に照明光を出射する。すなわち、本発明における第１方向は、＋Ｘ方向である。なお、光源装置５の構成については、後に詳述する。
【００１８】
画像形成装置６は、光源装置５から出射された光を用いて画像光を形成する。画像形成装置６は、光学部品用筐体６１、均一化装置６２、色分離装置６３、リレー装置６４及び電気光学装置６５を備える。
光学部品用筐体６１は、均一化装置６２、色分離装置６３、リレー装置６４及び電気光学装置６５を内部に収容する。なお、画像投射装置４には、設計上の光軸である照明光軸Ａｘが設定されており、光学部品用筐体６１は、照明光軸Ａｘにおける所定位置に、上記装置６２〜６５を保持する。なお、光源装置５及び投射光学装置７は、照明光軸Ａｘにおける所定位置に配置される。
【００１９】
均一化装置６２は、光源装置５に対して＋Ｘ方向に位置し、光源装置５から出射された照明光を均一化する。この均一化された照明光は、色分離装置６３及びリレー装置６４を経て、電気光学装置６５の後述する光変調装置６５３の変調領域を照明する。均一化装置６２は、２つのレンズアレイ６２１，６２２、偏光変換素子６２３及び重畳レンズ６２４を備える。そして、照明光は、均一化装置６２を＋Ｘ方向に通過する。
色分離装置６３は、均一化装置６２に対して＋Ｘ方向に位置し、均一化装置６２から入射される光を赤、緑及び青の各色光に分離する。色分離装置６３は、緑色光及び赤色光を＋Ｘ方向に透過させ、青色光を＋Ｚ方向に反射させるダイクロイックミラー６３１と、赤色光を＋Ｘ方向に透過させ、緑色光を＋Ｚ方向に反射させるダイクロイックミラー６３２と、＋Ｚ方向に進行する青色光を＋Ｘ方向に反射させる反射ミラー６３３と、を備える。
【００２０】
リレー装置６４は、色分離装置６３に対して＋Ｘ方向に位置し、他の色光の光路より長い赤色光の損失を抑制する。リレー装置６４は、色分離装置６３を＋Ｘ方向に通過した赤色光の光路上に設けられる入射側レンズ６４１と、入射側レンズ６４１を通過した赤色光を＋Ｚ方向に反射させる反射ミラー６４２と、＋Ｚ方向に進行する赤色光の光路上に設けられるリレーレンズ６４３と、リレーレンズ６４３を通過した赤色光を−Ｘ方向に反射させる反射ミラー６４４と、を備える。すなわち、リレー装置６４は、＋Ｙ方向から見て略Ｕ字状に折り返されて−Ｘ方向に出射される赤色光の光路にそれぞれ設けられる入射側レンズ６４１、反射ミラー６４２、リレーレンズ６４３及び反射ミラー６４４を有する。
【００２１】
電気光学装置６５は、色分離装置６３から＋Ｘ方向に出射される青色光、色分離装置６３から＋Ｚ方向に出射される緑色光、及び、リレー装置６４から−Ｘ方向に出射される赤色光が集まる部位に配置されている。電気光学装置６５は、それぞれ入射される色光に応じて設けられる３つのフィールドレンズ６５１、３つの入射側偏光板６５２、３つの光変調装置６５３、３つの視野角補償板６５４及び３つの出射側偏光板６５５と、１つの色合成装置６５６と、を備える。例えば、＋Ｚ方向に進行する緑色光の光路上には、それぞれ１つのフィールドレンズ６５１、入射側偏光板６５２、光変調装置６５３（６５３Ｇ）、視野角補償板６５４及び出射側偏光板６５５が配置されている。
【００２２】
光変調装置６５３は、赤色光用の光変調装置６５３Ｒ、緑色光用の光変調装置６５３Ｇ及び青色光用の光変調装置６５３Ｂを含む。光変調装置６５３は、光源装置５から出射された光を画像情報に応じて変調する。本実施形態では、光変調装置６５３は、透過型の液晶パネルによって構成されており、入射側偏光板６５２、光変調装置６５３、出射側偏光板６５５によって液晶ライトバルブが構成される。
視野角補償板６５４は、液晶パネルである光変調装置６５３に光が斜方入射される場合に、光変調装置６５３にて生じる複屈折による常光と異常光との間に生じる位相差を補償する。
【００２３】
色合成装置６５６は、赤色光、緑色光及び青色光の各光路の交差部に設けられている。色合成装置６５６は、光変調装置６５３Ｂ，６５３Ｇ，６５３Ｒによって変調された各色光を合成して画像を形成する。
色合成装置６５６は、本実施形態では、クロスダイクロイックプリズムによって構成され、詳しい図示を省略するが、赤、緑及び青の各色光が入射される３つの入射面と、合成された画像が出射される出射面と、を有する。
出射面は、投射光学装置７側を向いており、合成された画像を第２方向である＋Ｚ方向に出射する。換言すると、色合成装置６５６から出射され、投射光学装置７によって投射される画像は、第２方向である＋Ｚ方向に沿って投射光学装置７に入射される。
【００２４】
投射光学装置７は、色合成装置６５６によって合成され＋Ｚ方向に沿って入射される画像を被投射面上に拡大投射する。すなわち、投射光学装置７は、光変調装置６５３Ｂ，６５３Ｇ，６５３Ｒによって変調された光を投射する。投射光学装置７は、例えば筒状の鏡筒内に複数のレンズが収納された組レンズとして構成され、レンズ光軸が＋Ｚ方向と平行となるように配置される。換言すると、投射光学装置７は、＋Ｚ方向に沿って電気光学装置６５からの光が入射される位置に配置されている。
【００２５】
そして、図２に示されるように、光源装置５、光変調装置６５３及び投射光学装置７は、上記の通り、光源装置５から投射光学装置７までの光軸が＋Ｙ方向から見て略Ｌ字状となるように、外装筐体２の内部に配置されている。
【００２６】
［光源装置の構成］
図３は、光源装置５の構成を示す模式図である。
光源装置５は、照明光を均一化装置６２に出射する。光源装置５は、図３に示すように、光源部５１、アフォーカル光学素子５２、ホモジナイザー光学素子５３、偏光分離素子５４、第１集光素子５５、波長変換素子５６、第１位相差素子５７、第２集光素子５８、拡散反射装置５９及び第２位相差素子ＲＰと、これらを内部に収容する光源用筐体ＣＡと、を備える。
光源用筐体ＣＡは、塵埃等が内部に侵入しづらい密閉筐体として構成されている。
【００２７】
光源部５１、アフォーカル光学素子５２、ホモジナイザー光学素子５３、偏光分離素子５４と、第１位相差素子５７、第２集光素子５８及び拡散反射装置５９は、光源装置５に設定された照明光軸Ａｘ１上に配置されている。
波長変換素子５６、第１集光素子５５、偏光分離素子５４及び第２位相差素子ＲＰは、光源装置５に設定され、かつ、照明光軸Ａｘ１に直交する照明光軸Ａｘ２上に配置されている。
なお、光源装置５からの照明光の出射方向である＋Ｘ方向は、照明光軸Ａｘ２に沿う方向である。
【００２８】
［光源部の構成］
光源部５１は、光を出射する光源５１１及びコリメーターレンズ５１５を備える。
光源５１１は、複数の第１半導体レーザー５１２及び複数の第２半導体レーザー５１３と、支持部材５１４と、を備える。
第１半導体レーザー５１２は、励起光であるｓ偏光の青色光Ｌ１ｓを出射する。青色光Ｌ１ｓは、例えば、ピーク波長が４４０ｎｍのレーザー光である。第１半導体レーザー５１２から出射された青色光Ｌ１ｓは、波長変換素子５６に入射される。
第２半導体レーザー５１３は、ｐ偏光の青色光Ｌ２ｐを出射する。青色光Ｌ２ｐは、例えば、ピーク波長が４６０ｎｍのレーザー光である。第２半導体レーザー５１３から出射された青色光Ｌ２ｐは、拡散反射装置５９に入射される。
【００２９】
支持部材５１４は、照明光軸Ａｘ１と直交する平面にそれぞれアレイ状に配置された複数の第１半導体レーザー５１２及び複数の第２半導体レーザー５１３を支持する。支持部材５１４は、熱伝導性を有する金属製部材であり、後述する受熱部材８１に接続され、各半導体レーザー５１２，５１３、ひいては、光源５１１の熱を受熱部材８１に伝達する。
第１半導体レーザー５１２から出射された青色光Ｌ１ｓ及び第２半導体レーザー５１３から出射された青色光Ｌ２ｐは、コリメーターレンズ５１５によって平行光束に変換され、アフォーカル光学素子５２に入射される。
なお、本実施形態では、光源５１１は、ｓ偏光の青色光Ｌ１ｓと、ｐ偏光の青色光Ｌ２ｐとを出射する構成であるが、これに限らず、光源５１１は、偏光方向が同じ直線偏光光である青色光を出射する構成としてもよい。この場合、入射された１種類の直線偏光をｓ偏光及びｐ偏光が含まれる光とする位相差素子を、光源部５１と偏光分離素子５４との間に配置すればよい。
【００３０】
［アフォーカル光学素子及びホモジナイザー光学素子の構成］
アフォーカル光学素子５２は、光源部５１から入射される青色光Ｌ１ｓ及び青色光Ｌ２ｐの光束径を調整して、ホモジナイザー光学素子５３に入射させる。アフォーカル光学素子５２は、入射される光を集光するレンズ５２１と、レンズ５２１によって集光された光束を平行化するレンズ５２２と、により構成されている。
ホモジナイザー光学素子５３は、青色光Ｌ１ｓ，Ｌ２ｐの照度分布を均一化する。ホモジナイザー光学素子５３は、一対のマルチレンズアレイ５３１，５３２により構成されている。
【００３１】
［偏光分離素子の構成］
ホモジナイザー光学素子５３を通過した青色光Ｌ１ｓ，Ｌ２ｐは、偏光分離素子５４に入射する。偏光分離素子５４は、プリズム型の偏光ビームスプリッターである。
偏光分離素子５４は、入射する光に含まれるｓ偏光成分とｐ偏光成分とを分離する。具体的に、偏光分離素子５４は、ｓ偏光成分を反射させ、ｐ偏光成分を透過させる。また、偏光分離素子５４は、ｓ偏光成分及びｐ偏光成分のいずれの偏光成分であっても、所定波長以上の光を透過させる色分離特性を有する。
従って、ｓ偏光の青色光Ｌ１ｓは、偏光分離素子５４にて反射され、第１集光素子５５に入射する。一方、ｐ偏光の青色光Ｌ２ｐは、偏光分離素子５４を透過して、第１位相差素子５７に入射する。
【００３２】
［第１集光素子の構成］
第１集光素子５５は、偏光分離素子５４にて反射された青色光Ｌ１ｓを波長変換素子５６に集光する。また、第１集光素子５５は、波長変換素子５６から入射される蛍光光ＹＬを平行化する。このような第１集光素子５５は、２つのレンズ５５１，５５２を有する構成を例示できるが、第１集光素子５５を構成するレンズの数は問わない。
【００３３】
［波長変換素子の構成］
波長変換素子５６は、入射された光によって励起されて、入射された光より波長が長い蛍光光ＹＬを生成し、蛍光光ＹＬを第１集光素子５５に出射する。換言すると、波長変換素子５６は、入射された光の波長を変換し、変換された光を出射する。波長変換素子５６によって生成された蛍光光ＹＬは、例えば、ピーク波長が５００〜７００ｎｍの光である。波長変換素子５６は、波長変換部５６１及び放熱部５６２を備える。
波長変換部５６１は、図示を省略するが、波長変換層及び反射層を有する。波長変換層は、入射される青色光Ｌ１ｓを波長変換した非偏光光である蛍光光ＹＬを拡散出射する蛍光体を含む。反射層は、波長変換層から入射される蛍光光ＹＬを第１集光素子５５側に反射させる。
放熱部５６２は、波長変換部５６１における光入射側とは反対側の面に設けられ、波長変換部５６１にて生じた熱を放出する。
【００３４】
波長変換素子５６から出射された蛍光光ＹＬは、照明光軸Ａｘ２に沿って第１集光素子５５を通過した後、上記色分離特性を有する偏光分離素子５４に入射される。そして、蛍光光ＹＬは、偏光分離素子５４を照明光軸Ａｘ２に沿って通過し、第２位相差素子ＲＰに入射する。
なお、波長変換素子５６は、モーター等の回転装置によって、照明光軸Ａｘ２と平行な回転軸を中心として回転される構成であってもよい。
【００３５】
［第１位相差素子及び第２集光素子の構成］
第１位相差素子５７は、偏光分離素子５４と第２集光素子５８との間に配置されている。第１位相差素子５７は、偏光分離素子５４を通過した青色光Ｌ２ｐを円偏光の青色光Ｌ２ｃに変換する。青色光Ｌ２ｃは、第２集光素子５８に入射される。
第２集光素子５８は、第１位相差素子５７から入射される青色光Ｌ２ｃを拡散反射装置５９に集光する。また、第２集光素子５８は、拡散反射装置５９から入射される青色光Ｌ２ｃを平行化する。なお、第２集光素子５８を構成するレンズの数は、適宜変更可能である。
【００３６】
［拡散反射装置の構成］
拡散反射装置５９は、波長変換素子５６にて生成及び出射される蛍光光ＹＬと同様の拡散角で、入射された青色光Ｌ２ｃを拡散反射させる。拡散反射装置５９は、図示を省略するが、入射された青色光Ｌ２ｃをランバート反射させる反射板と、反射板を照明光軸Ａｘ１と平行な回転軸を中心として回転させる回転装置と、を備える。
拡散反射装置５９にて拡散反射された青色光Ｌ２ｃは、第２集光素子５８を通過した後、第１位相差素子５７に入射される。青色光Ｌ２ｃは、拡散反射装置５９にて反射される際に、回転方向が反対方向の円偏光に変換される。このため、第２集光素子５８を介して第１位相差素子５７に入射された青色光Ｌ２ｃは、偏光分離素子５４から第１位相差素子５７に入射された際のｐ偏光の青色光Ｌ２ｃではなく、ｓ偏光の青色光Ｌ２ｓに変換される。そして、青色光Ｌ２ｓは、偏光分離素子５４にて反射されて、第２位相差素子ＲＰに入射される。すなわち、偏光分離素子５４から第２位相差素子ＲＰに入射される光は、青色光Ｌ２ｓ及び蛍光光ＹＬが混在した白色光である。
【００３７】
［第２位相差素子の構成］
第２位相差素子ＲＰは、偏光分離素子５４から入射される白色光をｓ偏光及びｐ偏光が混在する光に変換する。このように変換された白色の照明光ＷＬは、均一化装置６２に入射する。
【００３８】
［冷却装置の構成］
冷却装置８は、プロジェクター１Ａを構成する冷却対象を冷却する。本実施形態において、冷却対象は、光源装置５の光源５１１である。冷却装置８は、図２に示すように、受熱部材８１、放熱部材８２及び送風装置８３を備える。受熱部材８１、放熱部材８２及び送風装置８３は、＋Ｘ方向及び＋Ｚ方向に延出する略Ｌ字状の画像投射装置４における投射光学装置７に対して、光源装置５の配置側、すなわち、−Ｘ方向側に配置されている。
【００３９】
［受熱部材の構成］
受熱部材８１は、光源５１１を構成する支持部材５１４（図３参照）と放熱部材８２とに接続され、光源５１１にて生じた熱を放熱部材８２に伝達する。受熱部材８１は、光源装置５に対して＋Ｚ方向に位置する。すなわち、受熱部材８１は、光源用筐体ＣＡの外側に位置している。受熱部材８１は、光源装置５側、すなわち、−Ｚ方向を向く受熱面８１１と、受熱面８１１に対して表裏の関係にあり、放熱部材８２側、すなわち、＋Ｚ方向を向く放熱面８１２と、を備える。
受熱面８１１は、支持部材５１４と接続されることによって光源５１１と接続され、支持部材５１４から受熱する。
放熱面８１２は、放熱部材８２と接続され、支持部材５１４から伝達された熱を放熱部材８２に伝達する。
【００４０】
［放熱部材の構成］
図４は、冷却装置８及び画像投射装置４を＋Ｚ方向側から見た図である。
放熱部材８２は、受熱部材８１を介して光源５１１から伝達される熱を放出する。詳述すると、放熱部材８２は、受熱部材８１から伝達される光源５１１の熱を、送風装置８３によって流通する冷却気体に伝達し、受熱部材８１、ひいては、光源５１１を冷却する。
放熱部材８２は、図２に示されるように、投射光学装置７に対して第１方向である＋Ｘ方向とは反対方向（−Ｘ方向）に配置されている。放熱部材８２は、図２及び図４に示すように、本体部８２１及び複数のフィン８２２を有する。
本体部８２１は、放熱部材８２において放熱面８１２と接続され光源５１１の熱が伝達される部位であり、複数のフィン８２２の基端となる部位である。
複数のフィン８２２は、板状の放熱フィンであり、それぞれ本体部８２１から＋Ｚ方向に延出する延出部である。換言すると、各フィン８２２は、＋Ｘ方向及び＋Ｚ方向によって規定される平面を有する板状部分であり、各フィン８２２は、＋Ｙ方向に沿って所定間隔を隔てて配列されている。
【００４１】
［送風装置の構成］
送風装置８３は、ターボファンと呼ばれる遠心力ファンであり、外装筐体２内に導入された空気を冷却気体として放熱部材８２に送風する。送風装置８３は、図２に示されるように、放熱部材８２とともに投射光学装置７に対して第１方向である＋Ｘ方向とは反対方向（−Ｘ方向）に配置されている。また、送風装置８３は、放熱部材８２に対して＋Ｘ方向側に配置されている。送風装置８３は、ハウジング８３１及び羽根部材８３２と、羽根部材８３２を回転させる図示しないモーターと、を有する。
【００４２】
ハウジング８３１は、羽根部材８３２及びモーターを内部に収容する。ハウジング８３１は、−Ｙ方向を向く面に位置する略円形状の吸気口８３１１（図２及び図４）と、＋Ｙ方向を向く面に位置する吸気口８３１２（図４）と、吸引された冷却気体を送出する略矩形状の送出口８３１３（図２及び図４）と、を有する。すなわち、送風装置８３は、両面吸気ファンである。しかしながら、送風装置８３は、吸気口８３１１，８３１２のうち一方が閉塞された片面吸気ファンであってもよい。
なお、送出口８３１３の＋Ｚ方向における寸法は、図２に示すように、複数のフィン８２２の＋Ｚ方向における寸法に応じて設定されている。また、送出口８３１３の＋Ｙ方向における寸法は、図４に示すように、放熱部材８２の＋Ｙ方向における寸法、すなわち、複数のフィン８２２の＋Ｙ方向における寸法に応じて設定されている。換言すると、複数のフィン８２２の＋Ｚ方向及び＋Ｙ方向における各寸法は、送出口８３１３の＋Ｚ方向及び＋Ｙ方向における各寸法に合わせて設定されている。
【００４３】
羽根部材８３２は、モーターによってハウジング８３１内にて回転軸を中心に回転されて、吸気口８３１１，８３１２を介して空気を吸引し、吸引した空気を送出口８３１３から放熱部材８２に向けて冷却気体として−Ｘ方向に送出する環状部材である。羽根部材８３２の回転軸は、第１方向である＋Ｘ方向、及び、第２方向である＋Ｚ方向のそれぞれに直交する第３方向である＋Ｙ方向と略平行となるように設定されている。すなわち、遠心力ファンである送風装置８３は、羽根部材８３２の回転軸が第３方向である＋Ｙ方向に沿うように外装筐体２内に配置されている。
羽根部材８３２は、羽根部材８３２の回転軸を中心とする周方向に、複数の羽根８３２１が設けられている。複数の羽根８３２１のそれぞれは、羽根部材８３２の回転方向に対する反対方向に湾曲して形成されている。このため、ターボファンである送風装置８３から送出される冷却気体の静圧は、同サイズのシロッコファンから送出される冷却気体の静圧に比べて高くなっている。
【００４４】
［冷却気体の流通方向］
送風装置８３が駆動されると、正面部２３に位置する導入口２３２を介して、外装筐体２外の気体が外装筐体２内部に導入される。そして、外装筐体２内に導入された空気は、吸気口８３１１，８３１２を介してハウジング８３１内に吸引され、冷却気体として、放熱部材８２における複数のフィン８２２に送出される。図２に示されるように、送風装置８３は、放熱部材８２の複数のフィン８２２に対して、第１方向である＋Ｘ方向とは反対方向である−Ｘ方向に冷却気体を送出する。
【００４５】
ここで、図４に示すように、複数のフィン８２２は、＋Ｙ方向に沿って所定の間隔を隔てて配置されている。換言すると、＋Ｙ方向において隣り合う各フィン８２２の間には、図４において一点鎖線にて示す冷却気体が流通可能な隙間ＧＰが形成されている。
そして、各フィン８２２には、受熱部材８１に光源５１１から伝達された熱が本体部８２１を介して伝達される。
このため、各フィン８２２から各隙間ＧＰを流通する冷却気体に熱が伝達され、これにより、各フィン８２２、ひいては、受熱部材８１及び光源５１１が冷却される。
このように、各フィン８２２間の隙間ＧＰを−Ｘ方向に流通した冷却気体は、フィン８２２を冷却しつつ、左側面部２５に形成された排気口２５１に到達する。
【００４６】
図２に示すように、排気口２５１には、複数の排気側ルーバー２５２が設けられている。複数の排気側ルーバー２５２は、それぞれ外装筐体２の内側に＋Ｘ方向かつ−Ｚ方向に延出しており、各排気側ルーバー２５２を介して外装筐体２外に排出される冷却気体は、−Ｘ方向かつ＋Ｚ方向に流通するように設定されている。
このため、放熱部材８２を流通して排気口２５１に到達した冷却気体は、排気側ルーバー２５２によって、左側面部２５の排気口２５１から正面側である＋Ｚ方向側に排出される。すなわち、外装筐体２は、排気口２５１に位置する複数の排気側ルーバー２５２を有し、複数の排気側ルーバー２５２は、排気口２５１を通過する冷却気体の流通方向を第２方向である＋Ｚ方向側に調整する。
【００４７】
［第１実施形態の効果］
以上説明した本実施形態に係るプロジェクター１Ａには、以下の効果がある。
プロジェクター１Ａは、光を出射する光源５１１を有する光源装置５と、光源装置５から出射される光を変調する光変調装置６５３と、光変調装置６５３によって変調された光を投射する投射光学装置７と、光源５１１から伝達された熱を放出する放熱部材８２と、放熱部材８２に冷却気体を送風する送風装置８３と、を備える。投射光学装置７は、光源装置５から出射された光の出射方向に沿う第１方向である＋Ｘ方向と交差する第２方向である＋Ｚ方向に沿って光が入射される位置に配置される。送風装置８３は、回転軸を中心に回転し、回転方向に対する反対方向に湾曲した複数の羽根８３２１が設けられた羽根部材８３２を有する遠心力ファンであり、遠心力ファンである送風装置８３は、回転軸が、＋Ｘ方向及び＋Ｚ方向の両方に垂直な＋Ｙ方向に沿うように配置されている。放熱部材８２及び送風装置８３は、投射光学装置７に対して＋Ｘ方向とは反対方向である−Ｘ方向に配置されている。
これによれば、送風装置８３として軸流ファンが設けられる場合に比べて、＋Ｙ方向におけるプロジェクター１Ａの寸法を小さくできる。従って、プロジェクター１Ａの小型化を図ることができる。
【００４８】
ここで、軸流ファンは、送出口の中央部にモーターが配置されることから、送出口の中央部から冷却気体は送出されない。このため、冷却気体の送風方向に沿って見て、放熱部材において温度が最も高い部位と送出口の中央部とが一致していると、当該温度が最も高い部位に冷却気体が送風されづらく、放熱部材が冷却されにくい。
また、軸流ファンから送出された冷却気体の流れは旋回流であるため、放熱部材８２のように、それぞれ放熱フィンとして機能する複数のフィン８２２が設けられた放熱部材が送風対象である場合には、各フィン８２２間に冷却気体を流通させづらい。一方、シロッコファンは、送出口が小さいため、静圧は高いものの、風量が小さいという問題がある。
これに対し、送風装置８３の羽根部材８３２は、羽根部材８３２の回転方向に対する反対方向に湾曲した複数の羽根８３２１を有する。すなわち、送風装置８３は、遠心力ファンの１種であるターボファンである。これによれば、シロッコファンに比べて大きな送出口８３１３から、軸流ファンの場合のような旋回流ではない流れの冷却気体を送出できる他、送出口８３１３の中央部からも冷却気体を送出できる。従って、放熱部材８２、ひいては、光源５１１を効果的に冷却できる。
【００４９】
プロジェクター１Ａは、光源装置５、光変調装置６５３、投射光学装置７、放熱部材８２及び送風装置８３を収容する外装筐体２を備える。外装筐体２は、送風装置８３によって吸引される冷却気体を外装筐体２内に導入する導入口２３２と、放熱部材８２を流通した冷却気体が排出される排気口２５１と、投射光学装置７から出射される光の投射方向でもある＋Ｚ方向に位置する第１面としての正面部２３と、正面部２３と交差して、−Ｘ方向に位置する第２面としての左側面部２５と、を有する。これらのうち、導入口２３２は、正面部２３に設けられ、排気口２５１は、左側面部２５に設けられている。これによれば、送風装置８３に近い位置に導入口２３２を配置できる他、放熱部材８２に近い位置に排気口２５１を配置できる。このため、外装筐体２外の比較的温度が低い空気を送風装置８３が吸引して冷却気体として送出できる他、放熱部材８２を流通して温度が高くなった冷却気体を速やかに外装筐体２外に排出できる。従って、外装筐体２内の温度を低く保つことができ、放熱部材８２、ひいては、光源５１１の冷却効率を高めることができる。
【００５０】
ここで、プロジェクター１Ａの利用時にプロジェクター１Ａの周囲には、投射された画像を観察する観察者や壁等の遮蔽物が存在する場合がある。このような遮蔽物が存在すると、排気口２５１からの排気が円滑に行われず、冷却対象である光源５１１の冷却効率が低下する可能性が生じる。
これに対し、外装筐体２は、排気口２５１に位置し、排気口２５１を通過する冷却気体の流通方向を＋Ｚ方向側に調整する複数の排気側ルーバー２５２を有する。これによれば、冷却気体は、排気口２５１から＋Ｚ方向側に排出されるので、遮蔽物に向かって冷却気体が排出されることを抑制できる。従って、冷却気体の排出が滞って光源５１１の冷却効率が低下することを抑制できる。
【００５１】
放熱部材８２は、光源５１１の熱が伝達される本体部８２１と、本体部８２１からそれぞれ＋Ｚ方向に延出し、＋Ｙ方向に沿って所定間隔を隔てて配列された複数のフィン８２２と、を有する。送風装置８３は、複数のフィン８２２に対して＋Ｘ方向の反対方向である−Ｘ方向に冷却気体を送出する。これによれば、放熱フィンとしてそれぞれ機能する複数のフィン８２２を流通した冷却気体を排気口２５１に流通させやすくすることができる。このため、放熱部材８２を流通して温度が高くなった冷却気体を外装筐体２外に速やかに排出できる。従って、光源５１１の冷却効率を一層高めることができる。
【００５２】
プロジェクター１Ａの冷却装置８は、光源５１１及び放熱部材８２のそれぞれと接続され、光源５１１の熱を放熱部材８２に伝達する受熱部材８１を備える。受熱部材８１は、光源５１１に接続される受熱面８１１と、放熱部材８２に接続される放熱面８１２と、を有する。これによれば、光源５１１の熱は、受熱部材８１を介して放熱部材８２に伝達されるので、光源５１１の熱を放熱部材８２に伝達させやすくすることができる。従って、光源５１１の冷却効率を高めることができる。また、受熱部材８１は、密閉筐体である光源用筐体ＣＡの外側に設けられているので、同じく光源用筐体ＣＡの外側に位置する放熱部材８２に光源５１１の熱を伝達できる。従って、光源装置５の内部構成に塵埃が付着しづらい構成としつつ、光源５１１を冷却できる。
【００５３】
［第２実施形態］
次に、本発明の第２実施形態について説明する。
本実施形態に係るプロジェクターは、第１実施形態にて示したプロジェクター１Ａと同様の構成を備えるが、電源装置及び冷却装置の配置が異なる点で、プロジェクター１Ａと相違する。なお、以下の説明では、既に説明した部分と同一又は略同一である部分については、同一の符号を付して説明を省略する。
【００５４】
図５は、本実施形態に係るプロジェクター１Ｂの内部構成を示す模式図である。換言すると、図５は、プロジェクター１Ｂにおける電源装置３と、冷却装置８の受熱部材８１、放熱部材８２及び送風装置８３との配置を示す模式図である。
本実施形態に係るプロジェクター１Ｂは、プロジェクター１Ａと同様の構成及び機能を有する。具体的に、プロジェクター１Ｂは、図５に示すように、外装筐体２、電源装置３、画像投射装置４、冷却装置８及び図示しない制御装置を備え、外装筐体２は、電源装置３、画像投射装置４、冷却装置８及び制御装置を収容する。
プロジェクター１Ｂにおいて、電源装置３は、投射光学装置７に対して光源装置５が位置する側である−Ｘ方向に位置する。換言すると、電源装置３は、投射光学装置７と、放熱部材８２及び送風装置８３との間に配置されている。
【００５５】
プロジェクター１Ｂにおいても、冷却装置８は、プロジェクター１Ｂを構成する冷却対象を冷却する。冷却装置８は、冷却対象である光源５１１を冷却するものとして、受熱部材８１、放熱部材８２及び送風装置８３を備える。
受熱部材８１は、プロジェクター１Ａでの場合と同様に、光源用筐体ＣＡの外側に設けられている。受熱部材８１は、光源５１１の支持部材５１４と接続される受熱面８１１と、受熱面８１１に対して表裏の関係にあり、＋Ｚ方向を向く放熱面８１２と、を有する。
また、放熱部材８２も、放熱面８１２と接続される本体部８２１と、本体部８２１からそれぞれ＋Ｚ方向に延出し、伝達された光源５１１の熱を放出する放熱フィンとしてそれぞれ機能する複数のフィン８２２と、を有する。
【００５６】
送風装置８３は、プロジェクター１Ａでの場合と同様に、放熱部材８２とともに投射光学装置７に対して第１方向である＋Ｘ方向とは反対方向である−Ｘ方向に配置されている。一方で、送風装置８３は、プロジェクター１Ｂでは、プロジェクター１Ａでの場合と異なり、放熱部材８２に対して＋Ｚ方向側に配置される。また、送風装置８３は、吸気口８３１１，８３１２が−Ｙ方向及び＋Ｙ方向を向く面にそれぞれ位置するとともに、送出口８３１３が−Ｚ方向に開口するように配置される。このため、送風装置８３による冷却気体の送出方向は、−Ｚ方向と平行である。すなわち、送風装置８３は、放熱部材８２の複数のフィン８２２に対して、第２方向である＋Ｚ方向とは反対方向である−Ｚ方向に冷却気体を送出する。なお、送風装置８３が有する羽根部材８３２の回転軸は、プロジェクター１Ａでの場合と同様に、第３方向である＋Ｙ方向と略平行である。
【００５７】
送風装置８３から送出された冷却気体は、−Ｚ方向に流通し、放熱部材８２の複数のフィン８２２の間を−Ｚ方向に進行する。この際、冷却気体には、各フィン８２２に伝達された熱が伝達される。そして、冷却気体は、放熱部材８２において−Ｚ方向に位置する本体部８２１に到達し、本体部８２１に当たることによって流通方向が−Ｘ方向に変更される。流通方向が−Ｘ方向に変更された冷却気体は、プロジェクター１Ａでの場合と同様に、排気口２５１から外装筐体２外に排出される。なお、排気口２５１には、上記した排気側ルーバー２５２が設けられていることにより、排気口２５１から排出される際に、冷却気体は、＋Ｚ方向側に排出される。
【００５８】
ここで、プロジェクター１Ｂの外装筐体２は、外装筐体２の外部から内部に向かって導入口２３２を通過する冷却気体の流通方向、すなわち、導入口２３２を介して外装筐体２内に導入される冷却気体の流通方向を調整する複数の導入側ルーバー２３３を有する。複数の導入側ルーバー２３３は、導入口２３２に位置する。複数の導入側ルーバー２３３は、外装筐体２内に向かって、−Ｘ方向で−Ｚ方向に延出している。このため、送風装置８３が駆動して吸引された外装筐体２外の空気は、複数の導入側ルーバー２３３を通過する際に、−Ｘ方向で−Ｚ方向に向かって流通する。すなわち、複数の導入側ルーバー２３３は、導入口２３２を通過する冷却気体の流通方向を第１方向である＋Ｘ方向とは反対方向側である−Ｘ方向側に調整する。
これにより、導入口２３２及び導入側ルーバー２３３を流通して外装筐体２内に導入される冷却気体は、正面部２３を＋Ｚ方向から見た場合に、導入口２３２に対して＋Ｘ方向に位置する空気、すなわち、排気口２５１から離れた位置の空気となる。従って、導入口２３２を介して導入される冷却気体の流路と、排気口２５１から排出される冷却気体の流路とを離すことができるので、排気口２５１から排出された冷却気体が、導入口２３２を介して外装筐体２内に導入されてしまうことを抑制できる。
【００５９】
［第２実施形態の効果］
以上説明した本実施形態に係るプロジェクター１Ｂは、プロジェクター１Ａと同様の効果を奏することができる他、以下の効果を奏することができる。
プロジェクター１Ｂの外装筐体２は、導入口２３２に位置し、導入口２３２を通過する冷却気体の流通方向を−Ｘ方向側に調整する導入側ルーバーを有する。これによれば、放熱部材８２を流通した冷却気体が、排気口２５１から＋Ｚ方向側に排出される場合でも、外装筐体２の外部において排気口２５１から離れた空気を、導入口２３２を介して外装筐体２内に導入できる。従って、温度が低い空気を冷却気体として外装筐体２内に導入できるので、光源５１１の冷却効率を高めることができる。
【００６０】
プロジェクター１Ｂでは、送風装置８３は、放熱部材８２の複数のフィン８２２に対して第２方向である＋Ｚ方向の反対方向である−Ｚ方向に冷却気体を送出する。これによれば、複数のフィン８２２の延出方向とは反対方向である−Ｚ方向に流通した冷却気体は、本体部８２１に到達した後に排気口２５１側に流通する。このため、冷却気体と接触する放熱部材８２の接触面積を拡大できるので、放熱部材８２の放熱効率を高めることができる。従って、光源５１１の冷却効率を一層高めることができる。
【００６１】
プロジェクター１Ｂは、外装筐体２内に配置されて電子部品に電力を供給する電源装置３を備える。電源装置３は、投射光学装置７と、放熱部材８２及び送風装置８３との間に配置されている。これによれば、外装筐体２内に、投射光学装置７、電源装置３、放熱部材８２及び送風装置８３を密に配置できる。従って、プロジェクター１Ｂの小型化を一層図ることができる。
【００６２】
［実施形態の変形］
本発明は、上記各実施形態に限定されるものではなく、本発明の目的を達成できる範囲での変形、改良等は本発明に含まれるものである。
上記各実施形態では、画像投射装置４は、図２及び図５にて示した構成を有するとした。しかしながら、これに限らず、光源装置５から出射された光の出射方向に沿う第１方向と、投射光学装置７に光が入射される方向である第２方向とが交差するように構成されていれば、画像投射装置４の構成は問わない。例えば、光源装置５は、半導体レーザーを有する光源５１１及び波長変換素子５６を備える構成でなくてもよく、光源ランプを光源として備える構成としてもよい。
【００６３】
上記各実施形態では、外装筐体２において、第１面としての正面部２３に、送風装置８３によって吸引される空気を外装筐体２外から導入する導入口２３２が設けられ、第１面と交差する第２面としての左側面部２５に、放熱部材８２を流通した冷却気体が外装筐体２外に排出される排気口２５１が設けられるとした。しかしながら、これに限らず、導入口２３２及び排気口２５１は、正面部２３及び左側面部２５に設けられていなくてもよく、互いに交差する他の側面部に設けられていてもよく、互いに離れた側面部に設けられていてもよい。例えば、右側面部２６に形成された吸気口２６１を介して外装筐体２内に導入された空気を、送風装置８３が吸引して冷却気体として送出してもよく、また、放熱部材８２を流通した冷却気体を、他の送風装置が吸引して、正面部２３に形成された排気口を介して外装筐体２外に排出する構成としてもよい。
【００６４】
上記各実施形態では、排気口２５１に排気側ルーバー２５２が設けられ、上記第２実施形態では、導入口２３２に導入側ルーバー２３３が設けられているとした。しかしながら、これに限らず、プロジェクター１Ａの導入口２３２に導入側ルーバー２３３が設けられていてもよく、また、排気側ルーバー２５２及び導入側ルーバー２３３の少なくともいずれかは、外装筐体２に設けられていなくてもよい。
また、上記各実施形態では、排気口２５１に設けられた排気側ルーバー２５２は、排気口２５１から排出される冷却気体の流通方向を＋Ｚ方向側に傾斜させるとした。しかしながら、これに限らず、排気側ルーバー２５２は、排気口２５１から排出される冷却気体の流通方向を他の方向に傾斜させてもよい。排気側ルーバー２５２が、冷却気体の流通方向を−Ｚ方向側に傾斜させる場合には、導入側ルーバー２３３は、導入口２３２を通過する冷却気体の流通方向を、冷却気体が−Ｚ方向に向かうに従って−Ｘ方向から＋Ｘ方向に流通するように調整してもよい。
【００６５】
上記各実施形態では、放熱部材８２は、光源５１１の熱が伝達される本体部８２１と、本体部８２１から＋Ｚ方向にそれぞれ延出し、かつ、＋Ｙ方向において所定間隔を隔てて配列される複数のフィン８２２と、を有するとした。しかしながら、これに限らず、放熱部材８２の構成は適宜変更可能である。例えば、フィン８２２の形状は、板状に限らず、棒状等、適宜変更可能である。
【００６６】
上記第１実施形態では、電源装置３は、画像投射装置４と背面部２４との間に位置し、上記第２実施形態では、電源装置３は、投射光学装置７と放熱部材８２及び送風装置８３との間に位置するとした。しかしながら、これに限らず、電源装置３の位置は、電源装置３の大きさ等を考慮して、適宜変更可能である。
【００６７】
上記各実施形態では、冷却装置８は、光源５１１の支持部材５１４と接続される受熱面８１１と、受熱面８１１に対して表裏の関係にあり、かつ、放熱部材８２の本体部８２１と接続される放熱面８１２と、を有する受熱部材８１を備えるとした。しかしながら、これに限らず、光源５１１の熱を放熱部材８２に効率よく伝達できれば、受熱部材８１は必ずしも必要ない。また、受熱部材８１と同様の機能を有し、構成が異なる受熱部材を、受熱部材８１に代えて採用してもよい。
【００６８】
上記第２実施形態では、送風装置８３から−Ｚ方向に送出されて放熱部材８２に流通した冷却気体は、−Ｚ方向に流通して排出されるとした。このような放熱部材８２における＋Ｘ方向の端部に、複数のフィン８２２間の隙間を閉塞する閉塞部を設けてもよい。この場合には、送風装置８３から本体部８２１に送出された冷却気体が、＋Ｘ方向側に流通することを抑制できる。
【００６９】
上記各実施形態では、光源装置５から出射された光の出射方向に沿う＋Ｘ方向を、左側面部２５から右側面部２６に向かう方向とし、＋Ｘ方向に交差し、かつ、投射光学装置７に光が入射される方向である＋Ｚ方向を、背面部２４から正面部２３に向かう方向とし、＋Ｘ方向及び＋Ｚ方向の両方に垂直な＋Ｙ方向を底面部２２から天面部２１に向かう方向とした。しかしながら、これに限らず、＋Ｘ方向、＋Ｙ方向及び＋Ｚ方向は、外装筐体２の形状に依らずに、適宜設定可能である。例えば、＋Ｘ方向を右側面部２６から左側面部２５に向かう方向としてもよく、＋Ｙ方向を天面部２１から底面部２２に向かう方向としてもよい。すなわち、光源装置５から出射された光の出射方向に沿う第１方向と、投射光学装置７に入射する光の入射方向である第２方向とが交差し、かつ、第１方向及び第２方向の両方に垂直な第３方向を規定できれば、プロジェクターにおける各方向は他の方向であってもよい。
【００７０】
上記各実施形態では、プロジェクター１Ａ，１Ｂは、３つの光変調装置６５３を備えるとした。しかしながら、これに限らず、２つ以下、あるいは、４つ以上の光変調装置を備えたプロジェクターにも、本発明を適用可能である。
上記各実施形態では、光変調装置６５３は、光入射面と光出射面とが異なる透過型の液晶パネルであるとした。しかしながら、これに限らず、光変調装置として、光入射面と光出射面とが同一となる反射型の液晶パネルを用いてもよい。また、入射光束を変調して画像情報に応じた画像を形成可能な光変調装置であれば、マイクロミラーを用いたデバイス、例えば、ＤＭＤ（Digital Micromirror Device）等を利用したものなど、液晶以外の光変調装置を用いてもよい。
【符号の説明】
【００７１】
１Ａ，１Ｂ…プロジェクター、２…外装筐体、２３…正面部、２３１…開口部、２３２…導入口、２４…背面部、２５…左側面部、２５１…排気口、２５２…排気側ルーバー、２６…右側面部、３…電源装置、４…画像投射装置、５…光源装置、５１１…光源、６…画像形成装置、６１…光学部品用筐体、６２…均一化装置、６２１，６２２…レンズアレイ、６２３…偏光変換素子、６２４…重畳レンズ、６３…色分離装置、６３１，６３２…ダイクロイックミラー、６３３…反射ミラー、６４…リレー装置、６４１…リレーレンズ、６４２，６４４…反射ミラー、６４３…リレーレンズ、６５…電気光学装置、６５１…フィールドレンズ、６５２…入射側偏光板、６５３（６５３Ｂ，６５３Ｇ，６５３Ｒ）…光変調装置、６５４…視野角補償板、６５５…出射側偏光板、６５６…色合成装置、７…投射光学装置、８…冷却装置、８１…受熱部材、８１１…受熱面、８１２…放熱面、８２…放熱部材、８２１…本体部、８２２…延出部、８３…送風装置、８３１…ハウジング、８３１１，８３１２…吸気口、８３１３…送出口、８３２…羽根部材、８３２１…羽根、＋Ｘ…方向（第１方向）、＋Ｙ…方向（第３方向）、＋Ｚ…方向（第２方向）。
【図１】
2020024244.tif 000003
【図２】
2020024244.tif 000004
【図３】
2020024244.tif 000005
【図４】
2020024244.tif 000006
【図５】
2020024244.tif 000007